【手続補正書】
【提出日】平成16年5月20日(2004.5.20)
【手続補正１】
【補正対象書類名】明細書
【補正対象項目名】特許請求の範囲
【補正方法】変更
【補正の内容】
【特許請求の範囲】
【請求項１】
利用者の操作により所定の金額を振込む振込取引を自動的に行なう自動取引装置であって、
振込取引に必要な振込情報を入力する第１の入力手段と、
振込取引に必要な金額を入力する第２の入力手段と、
この第２の入力手段で入力された振込必要金額に基づき実際の振込金額および振込手数料を算出する演算手段と、
この演算手段で算出された振込金額および振込手数料を利用者に対して知らせる案内手段と、
前記演算手段で算出された振込金額および前記第１の入力手段で入力された振込情報に基づき所定の振込取引を実行する取引手段と、
を具備したことを特徴とする自動取引装置。
【請求項２】
利用者の操作により所定の金額を振込む振込取引を自動的に行なう自動取引装置であって、
振込取引に必要な振込情報を入力する第１の入力手段と、
振込取引に対する振込手数料が振込先負担であることを指定する指定手段と、
振込取引に対する振込金額を入力する第２の入力手段と、
この第２の入力手段で入力された振込金額、および、前記第１の入力手段で入力された振込情報、および、前記指定手段の指定結果に基づき所定の振込取引を実行する取引手段と、
を具備したことを特徴とする自動取引装置。
【請求項３】
利用者の操作により所定の金額を振込む振込取引を自動的に行なう自動取引装置であって、
振込取引に必要な振込情報を入力する第１の入力手段と、
振込取引に必要な金額を入力する第２の入力手段と、
振込取引に対する振込手数料が振込元負担であるか振込先負担であるかを選択する選択手段と、
この選択手段で振込手数料が振込先負担であることが選択されると、前記第２の入力手段で入力された振込必要金額に基づき実際の振込金額および振込手数料を算出する演算手段と、
この演算手段で算出された振込金額および振込手数料を利用者に対して知らせる案内手段と、
前記演算手段で算出された振込金額および前記第１の入力手段で入力された振込情報に基づき所定の振込取引を実行する取引手段と、
を具備したことを特徴とする自動取引装置。
【請求項４】
前記案内手段は、前記演算手段で算出された振込金額および振込手数料を、前記第２の入力手段で入力された振込必要金額とともに表示画面に表示することにより利用者に対して知らせることを特徴とする請求項１または請求項３のいずれかに記載の自動取引装置。
【請求項５】
利用者の操作により所定の金額を振込む振込取引を自動的に行なう自動取引方法であって、
振込取引に必要な振込情報を入力するとともに、
振込取引に必要な金額を入力し、
この入力した振込必要金額に基づき実際の振込金額および振込手数料を算出し、
この算出した振込金額および振込手数料を利用者に対して知らせ、
前記算出された振込金額および前記入力された振込情報に基づき所定の振込取引を実行する、
ことを特徴とする自動取引方法。
【請求項６】
利用者の操作により所定の金額を振込む振込取引を自動的に行なう自動取引方法であって、
振込取引に必要な振込情報を入力するとともに、
振込取引に対する振込金額を入力し、
振込取引に対する振込手数料が振込先負担であることを指定し、
この指定結果および前記入力された振込情報および前記入力された振込金額に基づき所定の振込取引を実行する、
ことを特徴とする自動取引方法。
【請求項７】
利用者の操作により所定の金額を振込む振込取引を自動的に行なう自動取引方法であって、
振込取引に必要な振込情報を入力するとともに、
振込取引に必要な金額を入力し、
振込取引に対する振込手数料が振込元負担であるか振込先負担であるかを選択し、
振込手数料が振込先負担であることを選択すると、前記入力された振込必要金額に基づき実際の振込金額および振込手数料を算出し、
この算出した振込金額および振込手数料を利用者に対して知らせ、
前記算出した振込金額および前記入力された振込情報に基づき所定の振込取引を実行する、
ことを特徴とする自動取引方法。
【請求項８】
算出した振込金額および振込手数料を入力された振込必要金額とともに表示画面に表示することにより利用者に対して知らせることを特徴とする請求項５または請求項７のいずれかに記載の自動取引方法。
【手続補正２】
【補正対象書類名】明細書
【補正対象項目名】０００７
【補正方法】変更
【補正の内容】
【０００７】
【課題を解決するための手段】
本発明の自動取引装置は、利用者の操作により所定の金額を振込む振込取引を自動的に行なう自動取引装置であって、振込取引に必要な振込情報を入力する第１の入力手段と、振込取引に必要な金額を入力する第２の入力手段と、この第２の入力手段で入力された振込必要金額に基づき実際の振込金額および振込手数料を算出する演算手段と、この演算手段で算出された振込金額および振込手数料を利用者に対して知らせる案内手段と、前記演算手段で算出された振込金額および前記第１の入力手段で入力された振込情報に基づき所定の振込取引を実行する取引手段とを具備している。
【手続補正３】
【補正対象書類名】明細書
【補正対象項目名】０００９
【補正方法】変更
【補正の内容】
【０００９】
また、本発明の自動取引装置は、利用者の操作により所定の金額を振込む振込取引を自動的に行なう自動取引装置であって、振込取引に必要な振込情報を入力する第１の入力手段と、振込取引に必要な金額を入力する第２の入力手段と、振込取引に対する振込手数料が振込元負担であるか振込先負担であるかを選択する選択手段と、この選択手段で振込手数料が振込先負担であることが選択されると、前記第２の入力手段で入力された振込必要金額に基づき実際の振込金額および振込手数料を算出する演算手段と、この演算手段で算出された振込金額および振込手数料を利用者に対して知らせる案内手段と、前記演算手段で算出された振込金額および前記第１の入力手段で入力された振込情報に基づき所定の振込取引を実行する取引手段とを具備している。
【手続補正４】
【補正対象書類名】明細書
【補正対象項目名】００１０
【補正方法】変更
【補正の内容】
【００１０】
また、本発明の自動取引方法は、利用者の操作により所定の金額を振込む振込取引を自動的に行なう自動取引方法であって、振込取引に必要な振込情報を入力するとともに、振込取引に必要な金額を入力し、この入力した振込必要金額に基づき実際の振込金額および振込手数料を算出し、この算出した振込金額および振込手数料を利用者に対して知らせ、前記算出された振込金額および前記入力された振込情報に基づき所定の振込取引を実行することを特徴とする。
【手続補正５】
【補正対象書類名】明細書
【補正対象項目名】００１２
【補正方法】変更
【補正の内容】
【００１２】
さらに、本発明の自動取引方法は、利用者の操作により所定の金額を振込む振込取引を自動的に行なう自動取引方法であって、振込取引に必要な振込情報を入力するとともに、振込取引に必要な金額を入力し、振込取引に対する振込手数料が振込元負担であるか振込先負担であるかを選択し、振込手数料が振込先負担であることを選択すると、前記入力された振込必要金額に基づき実際の振込金額および振込手数料を算出し、この算出した振込金額および振込手数料を利用者に対して知らせ、前記算出した振込金額および前記入力された振込情報に基づき所定の振込取引を実行することを特徴とする。
【手続補正６】
【補正対象書類名】明細書
【補正対象項目名】００３２
【補正方法】変更
【補正の内容】
【００３２】
こうして、各入力項目の確認が終了すると、利用者は、最終確認画面内に表示された確認釦を押下する。その後、振込必要金額に相当する現金を投入することにより、入金処理および振込取引処理が行なわれ、その処理終了後、明細票（レシート）および釣銭があればそれを受取る。
【手続補正７】
【補正対象書類名】明細書
【補正対象項目名】００３５
【補正方法】変更
【補正の内容】
【００３５】
こうして、各入力項目の確認が終了すると、利用者は、最終確認画面内に表示された確認釦を押下する。その後、振込必要金額に相当する現金を投入することにより、入金処理および振込取引処理が行なわれ、その処理終了後、明細票（レシート）および釣銭があればそれを受取る。
【手続補正８】
【補正対象書類名】明細書
【補正対象項目名】００４０
【補正方法】変更
【補正の内容】
【００４０】
利用者は、表示された最終確認画面において各項目の確認が終了すると、最終確認画面内に表示された確認釦を押下する。その後、振込必要金額に相当する現金を投入することにより、入金処理および振込取引処理が行なわれ、その処理終了後、明細票（レシート）および釣銭があればそれを受取る。